(57)【特許請求の範囲】
【請求項１】
アンカーの軸力を計測するために下アンカープレートと上アンカープレートとの間に設置されるプレッシャーディスクを交換するに際し、
前記上アンカープレートを前記下アンカープレート側に押圧して前記プレッシャーディスクを偏平化する行程と、
前記上下アンカープレートの外径より大きく、新たな分離型プレッシャーディスクより薄肉でヒンジを介して連結する二つ割りのセンタリング治具を外周に取り付けた新たな分離型プレッシャーディスクを、前記上下アンカープレートの間で偏平化された前記プレッシャーディスク上又は下に差し込む行程と、
前記センタリング治具の両方の端部を引き寄せて重ね合わせて前記分離型プレッシャーディスクを前記上下アンカープレートの中心部に配置させる行程と、
前記分離型プレッシャーディスクを前記上下アンカープレート間に挟持する行程と、
前記センタリング治具を除去する行程と
を有することを特徴とするプレッシャーディスクの交換方法。
【発明の詳細な説明】
【技術分野】
【０００１】
本発明は、アンカーの軸力を完全に開放することなく分離型プレッシャーディスクを設置する際に、高応力状態のプレートとプレートとの間に指を差し込まずに、位置の調整や固定を可能とするプレッシャーディスクの交換方法に関する。
【背景技術】
【０００２】
従来、アンカーの軸力の計測機器として、油圧式薄型荷重計が多く使用されている。
これらの形状はドーナツ型であり、油漏れや想定外の要因によって、以降の計測が不可能となった場合、アンカーの荷重を開放して交換しない限り、再度設置することはできない。
そこで、荷重計を半割れにし、横から挟み込めるように形状を改良することで、アンカーの軸力を完全に開放することなく荷重計を設置できるようにした技術（以下、分離型プレッシャーディスクと称する）が提案されている（例えば、特許文献１参照）。
【０００３】
特許文献１によると、以下の問題点に対して改善できる。
１）アンカーの緊張力を開放する必要がないため、構造物が不安定とならない。
２）アンカーが再度緊張できる条件である場合で、かつ、アンカーの荷重を開放した場合、ＰＣ鋼より線が引き込まれて、再緊張・再定着ができないと判断される場合にも、荷重計を交換あるいは設置できる。
そして、この分離型プレッシャーディスクによれば、新設として使用する場合、上部プレートと下部プレートとの間に設置される。
また、既設アンカーへの追加設置あるいは破損（油漏れや想定外の要因によって、以降の計測が不可能となった場合）した荷重計の代替品としても採用可能である。
【先行技術文献】
【特許文献】
【０００４】
【特許文献１】特開２００７−１２６２８３号公報
【発明の概要】
【発明が解決しようとする課題】
【０００５】
しかし、特許文献１に開示された分離型プレッシャーディスクでは、上下のアンカープレートに対して外径が小さいため、位置の調整や固定の際には上下のアンカープレートの間に指を差し込まざるを得ない場合が多い。そのため、作業者は無理な作業を強いられることとなる。
また、分離型プレッシャーディスクの設置又は交換作業を効率よく、かつ正確に行うことが困難であった。
【０００６】
本発明は斯かる従来の問題点を解決するために為されたもので、その目的は、アンカーの軸力を完全に開放することなく分離型プレッシャーディスクを設置する際に、高応力状態のプレートとプレートとの間に指を差し込まずに、位置の調整や固定をすることを可能としたプレッシャーディスクの交換方法を提供することにある。
【課題を解決するための手段】
【０００９】
請求項１に係る発明は、アンカーの軸力を計測するために下アンカープレートと上アンカープレートとの間に設置されるプレッシャーディスクを交換するに際し、前記上アンカープレートを前記下アンカープレート側に押圧して前記プレッシャーディスクを偏平化する行程と、前記上下アンカープレートの外径より大きく、新たな分離型プレッシャーディスクより薄肉でヒンジを介して連結する二つ割りのセンタリング治具を外周に取り付けた新たな分離型プレッシャーディスクを、前記上下アンカープレートの間で偏平化された前記プレッシャーディスク上又は下に差し込む行程と、前記センタリング治具の両方の端部を引き寄せて重ね合わせて前記分離型プレッシャーディスクを前記上下アンカープレートの中心部に配置させる行程と、前記分離型プレッシャーディスクを前記上下アンカープレート間に挟持する行程と、前記センタリング治具を除去する行程とを有することを特徴とする。
【発明の効果】
【００１３】
本発明によれば、新設アンカー又は既設アンカーにおいて、アンカーの軸力を完全に開放することなく分離型プレッシャーディスクを設置する際に、高応力状態のプレートとプレートとの間に指を差し込まずに、位置の調整や固定を確実に行うことができる。
【図面の簡単な説明】
【００１４】
【図１】本発明の第一実施形態に係るセンタリング治具とプレッシャーディスクとの組合せ前の状態を示す説明図である。
【図２】本発明の第一実施形態に係るセンタリング治具とプレッシャーディスクとの組合せ後の状態を示す説明図である。
【図３】本発明の第一実施形態に係るセンタリング治具とプレッシャーディスクとの組合せ体をアンカーヘッドに取り付けた状態を示す説明図である。
【図４】本発明の第二実施形態に係るプレッシャーディスクの交換手順を示す説明図である。
【発明を実施するための形態】
【００１５】
以下、本発明を図面に示す実施形態に基づいて説明する。
図１乃至図３は、本発明の第一実施形態に係るアンカーにおけるプレッシャーディスクの設置時に用いられるセンタリング治具１０を示す。
センタリング治具１０は、分離型プレッシャーディスク２１を外周から挟み付けることができるように、円弧状の凹部１２を有する半円弧状の二つ割り部材１１と、半円弧状の二つ割り部材１１の外側部に設けた取っ手１３と、半円弧状の二つ割り部材１１を回動自在に結合するヒンジ１４と、半円弧状の二つ割り部材１１の開放端側に設けた接合片１５とを有する。
【００１６】
このセンタリング治具１０は、例えば、分離型式プレッシャーディスク２１の肉厚８ｍｍより薄い材料で構成されている。そのため、アンカーに既存アンカーの残留緊張力よりも大きな荷重を導入しても、例えば、図４に示すように、下アンカープレート２２と上アンカープレート２３とに挟まれて固定されることなく、接合片１５を持って開くことによって容易に引き出せる。
また、センタリング治具１０は、外形が上下アンカープレート２２，２３よりも大きくしてあるので、外方に突出する取っ手１３，１３を操作するだけで上下アンカープレート２２，２３間に手を差し込む必要がない。また、分離型プッシャーディスク２１の取付後においては、接合片１５，１５又は取っ手１３，１３を外方に引っ張ることによって、容易に取り出すことができる。そのため、従来の分離型プッシャーディスクの取付作業時の危険要因を排除できる。
【００１７】
分離型プレッシャーディスク２１は、図１乃至図３に示すように、半ドーナツ形状に成形された２つの薄型ジャッキ２１ａ，２１ｂと、２つの薄型ジャッキ２１ａ，２１ｂ間を接続する連結管２１ｃとで構成されている。連結管２１ｃは、曲げに強いものとなっており、このため２つの半ドーナツ形状の薄型ジャッキ２１ａ，２１ｂを両側に開くことができる。
２つの薄型ジャッキ２１ａ，２１ｂは、引用文献１に記載のように、半ドーナツ形状を呈する２枚の金属製薄板を重合するとともに、この２枚の金属製薄板の間に、金属製薄板の形状に合わせて製造した２つの円弧状のスペーサと直線状のスペーサとを挟み込んで溶接することによって構成されている。
【００１８】
薄型ジャッキ２１ａには、２つの薄型ジャッキ２１ａ，２１ｂ内に圧油を送り込むための送油管２１ｄが挿入接合されている。送油管２１ｄの他端部にはブルドン管２１ｆと圧油の注入側に連絡する圧力変換器２１ｇが取り付けられている。
薄型ジャッキ２１ｂには、エア抜き用のパイプ２１ｅが外周方向から挿入接合されている。エア抜き用のパイプ２１ｅの他端部にはチェック弁２１ｈが取り付けられている。
アンカーの緊張力を調べるには送油管２１ｄの注入口からオイルを注入するが、この時にチェック弁２１ｈから内部の空気はエア抜き用パイプ２１ｅから抜け、内部にはオイルが充満することになる。２つの半ドーナツ形状の薄型ジャッキ２１ａ，２１ｂは連結管２１ｃで連結されているため、ここを通ってオイルがもう一方の薄型ジャッキ２１ｂに充填される。
【００１９】
図４は、本発明の第二実施形態に係る既設アンカーにおけるプレッシャーディスク２０が破損し分離型プレッシャーディスク２１と交換する手順を示す。
先ず、図４（ａ）に示すように、既設のプレッシャーディスク２０が破損した状態を示す。
既設のプレッシャーディスク２０は下アンカープレート２２と上アンカープレート２３との間に配置されている。
次に、図４（ｂ）に示すように、上アンカープレート２３とアンカーヘッド２４とを持ち上げるために、ジョイントカップラー２５及びテンションバー２６をセットする。
例えば、アンカーヘッド２４の周囲に２つの緊張ジャッキ２７を配し、各緊張ジャッキ２７に第一反力材２８を載置し、第一反力材２８上にアンカーヘッド２４にジョイントカップラー２５を取り付けたテンションバー２６を固定する第二反力材２９を載置する。
【００２０】
次に、図４（ｃ）に示すように、各緊張ジャッキ２７を駆動して第一反力材２８及び第二反力材２９を介して上アンカープレート２３とアンカーヘッド２４と持ち上げて、アンカーに荷重を載荷する。
次に、図４（ｄ）に示すように、上アンカープレート２３下アンカープレート２２との間の隙間から破損した既設のプレッシャーディスク２０を除去する。破損した既設のプレッシャーディスク２０が、分離型プレッシャーディスクの場合には、結合部を取り除いて取り外す。破損した既設のプレッシャーディスク２０が、ドーナツ型プレッシャーディスクの場合には、切断して取り外す。
【００２１】
その後、図１乃至図３に示すように、外周に二つ割りのセンタリング治具１０を取り付けた新たな分離プレッシャーディスク２１を用意し、分離型プッシャーディスク２１及びセンタリング治具１０を略Ｗ字型にして上下アンカープレート２２，２３との間に挿入し、センタリング治具１０の取っ手１３，１３を操作して分離プレッシャーディスク２１の開放側端部２１ａ，２１ａを重ね合わせて、分離型プッシャーディスク２１の取付位置の調整を行い、所定の位置に分離プレッシャーディスク２１を固定する。
【００２２】
次に、図４（ｅ）に示すように、緊張ジャッキ２７による荷重を除荷する。その後、センタリング治具１０を取り外す。
最後に、図４（ｆ）に示すように、ジョイントカップラー２５、テンションバー２６、緊張ジャッキ２７、第一反力材２８及び第二反力材２９を撤去する。
以上によって、既設のプレッシャーディスク２０を除去後に、新たな分離型プッシャーディスク２１を上下アンカープレート２２，２３間に安全かつ確実な作業により固定することができる。
【００２３】
なお、上記実施形態では、図４（ｄ）に示すように、上アンカープレート２３と下アンカープレート２２との間の隙間から破損した既設のプレッシャーディスク２０を除去する場合について説明したが、本発明はこれに限らず、破損した既設のプレッシャーディスク２０を上下アンカープレート２２，２３によって押し潰して偏平化し、偏平化した破損した既設のプレッシャーディスク２０の上又は下に新たな分離型プレッシャーディスク２１をセンタリング治具１０を介して取り付けても良い。
【００２４】
また、上記実施形態では、既設のアンカーにおけるプレッシャーディスク１０の交換について説明したが、本発明はこれに限らず、例えば、新設のアンカーにおいても同様に取り付けることができる。その際、下アンカープレート２２の上にセンタリング治具１０を備えた分離型プッシャーディスク２１を差し込み、その後に上アンカープレート２３を配し、所定の荷重をかけて固定する。
【符号の説明】
【００２５】
１０  センタリング治具
１１  半円弧状の二つ割り部材
１２  円弧状の凹部
１３  取っ手
１４  ヒンジ
１５  接合片
２０  既設のプレッシャーディスク
２１  分離型プレッシャーディスク
２２  下アンカープレート
２３  上アンカープレート
【図１】
0005579584.tif 000002
【図２】
0005579584.tif 000003
【図３】
0005579584.tif 000004
【図４】
0005579584.tif 000005